(57)【要約】【課題】左右のオーガ間の雪を効率よく除去することができ、さらにオーガの浮き上がりを防止することができる除雪機を提供することにある。【解決手段】除雪機１０は、オーガミッションケース２３の前部２３ａに、左右のオーガ２８間の雪塊６８ａを破砕する砕雪ブレード３０を鉛直に配置し、刃部３１の前端３１ｃに刃先３２を備え、刃先３２を上端部３１ａから下端部３１ｂにいくに従って前方に向けて徐々に大きく張り出させた。さらに、除雪機１０は、オーガミッションケース２３の前部２３ａに上端４２ａから下端４２ｂに渡って凹状の受け溝５０を設け、受け溝５０内に砕雪ブレード３０の基部３７を嵌め込み、基部３７の後端３７ａを受け溝５０の底部５４に当接させたものである。【選択図】        図２
2004360366.tif 000002
【特許請求の範囲】
【請求項１】
機体の前部にオーガミッションケースを配置し、このオーガミッションケースの左右側にそれぞれ左右のオーガを設け、このオーガミッションケース内にオーガミッションを配置し、このオーガミッションを介して左右のオーガを回転させることにより雪を掻き集める除雪機において、
前記オーガミッションケースの前部に、左右のオーガ間の雪を破砕する砕雪ブレードを鉛直に配置し、
この砕雪ブレードの前端に刃先を備え、この刃先を上端部から下端部にいくに従って前方に向けて徐々に大きく張り出し、
前記オーガミッションケースの前部に上端から下端に渡って凹状の受け溝を設け、
この受け溝内に前記砕雪ブレードの基部を嵌め込み、
この基部の後端を受け溝の底部に当接させたことを特徴とする除雪機。
【発明の詳細な説明】
【０００１】
【発明の属する技術分野】
本発明は、機体の前部中央にオーガミッションケースを配置し、このオーガミッションケースの左右側にそれぞれ左右のオーガを設け、左右のオーガを回転させることにより雪を掻き集める除雪機に関する。
【０００２】
【従来の技術】
路面や駐車場などの雪を除雪するものとしてオーガを備えた除雪機がある（例えば、特許文献１参照。）。
【０００３】
【特許文献１】
実開昭４８―５２３２６号公報（第２頁、第１図及び第３図〜第４図）
【０００４】
以上の特許文献１について次図を参照の上、詳しく説明する。
図１１（ａ）は従来の除雪機を示す正面図、（ｂ）は従来の除雪機の要部を示す側面図、（ｃ）は（ｂ）の１１ｃ−１１ｃ線断面図である。なお、符号を振り直した。
除雪機１００は、機体前部の左右側にそれぞれ上下二連のオーガ１０１，１０１，１０２，１０２を設け、左側オーガ１０１，１０２と右側オーガ１０２，１０２との間にチェーンケース１０３を設け、このチェーンケース１０３の前端１０４に取付溝１０５設け、取付溝１０５内にボルト１０６，１０６で切刃１０７を設けたものである。
【０００５】
この除雪機１００によれば、上側のオーガ駆動軸１０８にスプロケット１０９を設け、このスプロケット１０９を駆動チェーン１１０で駆動することにより、チェーンケース１０３内の駆動機構（図示せず）で左右側の上下のオーガ１０１，１０１，１０２，１０２を駆動し、上下のオーガ１０１，１０１，１０２，１０２で雪塊を切削する。
【０００６】
この際に、左右のオーガ１０１，１０１，１０２，１０２間の雪塊は、それぞれのオーガ１０１，１０１，１０２，１０２で切削することができないので、雪塊として残ってしまう。
しかし、チェーンケース１０３の前端１０４に切刃１０７を設けることにより、オーガ１０１，１０１，１０２，１０２間に残った雪塊を、切刃１０７で切断して左右のオーガ１０１，１０１，１０２，１０２側に分散させ、分散した雪塊を左右のオーガ１０１，１０１，１０２，１０２で除去することができる。
【０００７】
よって、オーガ１０１，１０１，１０２，１０２間に雪塊が残って、オーガ装置１１２の前進を妨げることを防止できる。これにより、オーガ装置１１２をスムーズに前進させて、左右側に設けた上下二連のオーガ１０１，１０１，１０２，１０２で雪塊を好適に切削することができる。
【０００８】
【発明が解決しようとする課題】
ところで、この除雪機１００は、上下のオーガ１０１，１０１，１０２，１０２のうち、上側のオーガ１０１，１０１が下側のオーガ１０２，１０２より前方に突出している。
よって、図１１（ｂ）に示すようにチェーンケース１０３が、上端部１０３ａが下端部１０３ｂより前方に突出するため、チェーンケース１０３の前端１０４は下向きになる。
【０００９】
この下向きの前端１０４に切刃１０７を設けるために、切刃１０７も下向きになる。切刃１０７を下向きにすることで、左右のオーガ１０１，１０１，１０２，１０２で雪塊を切削する際に、切刃１０７を雪塊の上側から食い込ませることになる。
切刃１０７を雪塊の上側から食い込ませるために、切刃１０７は雪塊から簡単に浮き上がってしまい、アンカーとしての役割を果たすことはできない。
【００１０】
よって、例えば左右のオーガ１０１，１０１，１０２，１０２で固い雪塊を切削する際に、左右のオーガ１０１，１０１，１０２，１０２にかかる反力が大きくなり、その反力で左右のオーガ１０１，１０１，１０２，１０２が浮き上がってしまう。
左右のオーガ１０１，１０１，１０２，１０２が浮き上がると、左右のオーガ１０１，１０１，１０２，１０２で雪塊を好適に切削することは難しい。
【００１１】
この対策として、オーガ装置１１２を前進させながら左右のオーガ１０１，１０１，１０２，１０２で雪塊を一度切削した後、オーガ装置１１２を後退させて、その後オーガ装置１１２を再度前進させながら、一回目に切削できなかった残りの雪塊を切削するという、いわゆる二度度削りをおこなっていた。
しかし、２度削りはオーガ装置１１２を複数回前後進させる必要があるので、作業者に大きな負担がかかっていた。
【００１２】
その他の対策としては、オーガ装置１１２を左右に揺らしながら操作することで、雪塊を切削する方法が知られている。
しかし、この方法は、オーガ装置１１２を揺らしながら操作するので、作業者に大きな負担がかかっていた。
【００１３】
そこで、本発明の目的は、左右のオーガ間の雪を効率よく除去することができ、さらにオーガの浮き上がりを防止することができる除雪機を提供することにある。
【００１４】
【課題を解決するための手段】
上記目的を達成するために請求項１は、機体の前部にオーガミッションケースを配置し、このオーガミッションケースの左右側にそれぞれ左右のオーガを設け、このオーガミッションケース内にオーガミッションを配置し、このオーガミッションを介して左右のオーガを回転させることにより雪を掻き集める除雪機において、前記オーガミッションケースの前部に、左右のオーガ間の雪を破砕する砕雪ブレードを鉛直に配置し、この砕雪ブレードの前端に刃先を備え、この刃先を上端部から下端部にいくに従って前方に向けて徐々に大きく張り出し、前記オーガミッションケースの前部に上端から下端に渡って凹状の受け溝を設け、この受け溝内に前記砕雪ブレードの基部を嵌め込み、この基部の後端を受け溝の底部に当接させたことを特徴とする。
【００１５】
オーガミッションケースの前部に、左右のオーガ間の雪を破砕する砕雪ブレードを鉛直に配置し、砕雪ブレードの前端に刃先を備えた。
よって、左右のオーガで雪塊を切削する際に、左右のオーガ間に残った雪塊を切刃で切断する。切断した雪塊を左右のオーガ側に分散させて、分散した雪を左右のオーガで除去することができる。
【００１６】
また、砕雪ブレードの刃先を上端部から下端部にいくに従って前方に向けて徐々に大きく張り出した。
よって、刃先の下端部を前方に大きく突出させることができるので、左右のオーガで雪塊を切削する際に、刃先の下端部を雪塊に食い込ませることができる。
刃先の下端部を雪塊に食い込ませることで、左右のオーガで雪塊を切削する際に、発生した反力で左右のオーガが浮き上がることを防ぐことができる。
【００１７】
さらに、オーガミッションケースの前部に受け溝を設け、受け溝内に砕雪ブレードの基部を嵌め込むことにより、受け溝で砕雪ブレードの基部が左右方向に振れることを防ぐことができる。
加えて、砕雪ブレードの基部の後端を受け溝の底部に当接させることにより、砕雪ブレードに比較的大きな力がかかった場合に、砕雪ブレードにかかった力を受け溝で受けることが可能になり、砕雪ブレードを好適に保護することができる。
【００１８】
【発明の実施の形態】
本発明の実施の形態を添付図に基づいて以下に説明する。ここで、「前」、「後」、「左」、「右」は作業者から見た方向に従う。なお、図面は符号の向きに見るものとする。
図１は本発明に係る除雪機（第１実施形態）を示す斜視図である。
除雪機１０は、機体１１の下部左右側にそれぞれ走行用の電動モータ１２，１２（右側は図示せず）を設け、電動モータ１２，１２の左右側にそれぞれ走行部１３，１３（左側は図示せず）を設け、機体１１にエンジン（図示せず）を搭載し、機体１１の前部にオーガ装置２０を設けたものである。
【００１９】
オーガ装置２０は、機体１１の前部にブロアハウジング２１を取り付け、このブロアハウジング２１内にブロア（図示せず）を回転自在に配置し、ブロアハウジング２１の前部にオーガハウジング２２を取り付け、オーガハウジング２２内の略中央にオーガミッションケース２３を配置し、このオーガミッションケース２３を支持部材２４でオーガハウジング２２の上端部に取り付け、オーガミッションケース２３内にオーガミッション２５（図２参照）を収納し、オーガミッション２５に駆動軸２６を連結するとともに、左右のオーガ軸２７，２７を連結し、左右のオーガ軸２７，２７にそれぞれ左右のオーガ２８，２８を取り付け、オーガミッションケース２３の前部２３ａに砕雪ブレード３０を取り付けたものである。
【００２０】
このオーガ装置２０によれば、エンジン（図示せず）で駆動軸２６を回転することにより、ブロアを回転するとともにオーガミッション２５を駆動し、オーガミッション２５で左右のオーガ軸２７，２７を回転して左右のオーガ２８，２８を回転する。
【００２１】
左右のオーガ２８，２８が回転することにより、雪をオーガハウジング２２の中央に掻き集め、掻き集めた雪をブロアハウジング２１内に導き、ブロアハウジング２１内に導いた雪をブロアで跳ね上げ、跳ね上げた雪をシュータ２９で案内して外部に投雪する。
【００２２】
図２は本発明に係る除雪機（第１実施形態）の砕雪ブレードを示す分解斜視図である。
オーガミッションケース２３は、オーガミッション２５を収納するケース本体４１と、ケース本体４１の開口を塞ぐ蓋体４２とからなる。
ケース本体４１は、後壁４３に駆動軸２６を挿入する挿入孔（図示せず）を設け、左右の壁４４，４４（右側の壁４４は図示せず）に左右のオーガ軸２７，２７を挿入する左右の挿入孔４５，４５（右側の挿入孔４５は図示せず）を設け、上部突起４６に支持部材２４を取り付ける一対の取付孔（図示せず）を設けたものである。
【００２３】
ケース本体４１の開口に蓋体４２を被せ、５個のボルト４７（４個のみを図示する）でケース本体４１に蓋体４２を固定する。
４８は、オーガミッションケース２３内にオイルを供給するためにプラグである。
【００２４】
蓋体４２の前面（すなわち、オーガミッションケース２３の前部）２３ａには、蓋体４２の上端４２ａから下端４２ｂに渡って凹状の受け溝５０を鉛直に設け、この受け溝５０は、蓋体４２の中央のプラグ４８を回避するために、上部の受け溝５１と下部の受け溝５２とに２分割したものである。
上部の受け溝５１と下部の受け溝５２とは、長さが異なるだけで、その他の形状は同一である。
【００２５】
受け溝５０は、一対の規制片５３，５３を一定間隔Ｓ１をおいて互いに平行になるように形成したものである。
ここで、一定間隔Ｓ１は、砕雪ブレード３０の板厚Ｔより僅かに広く設定したものである。
よって、一対の規制片５３，５３間に砕雪ブレード３０を嵌め込むことができる。
【００２６】
砕雪ブレード３０は、オーガミッションケース２３の前部２３ａに鉛直に配置するとともに刃先３２を前方に向けて突出させた刃部３１と、刃部３１の上端部３１ａから後方に延びた上支え片３３と、刃部３１の下端部３１ｂから後方に延びた下支え片３４とで略コ字形に形成した板材である。
刃先３２は、刃部３１の前端（砕雪ブレードの前端）３１ｃに沿って湾曲状に形成したものである。
【００２７】
この砕雪ブレード３０は、上支え片３３の後端部に一対の取付孔３５，３５を形成するとともに、下支え片３４の後端部に取付孔３６を形成し、刃部３１の基部３７の略中央に凹部３８を形成したものである。
刃部３１の基部３７に凹部３８を形成することで、プラグ４８との干渉を避けることができる。
【００２８】
上支え片３３の一対の取付孔３５，３５を、ケース本体４１の上部突起４６の上取付孔（図示せず）に合わせるとともに、ケース本体４１の上取付孔（図示せず）に支持部材２４の一対の取付孔２９，２９を合わせる。
さらに、下支え片３４の取付孔３６を、ケース本体４１から下方に突出した下突片６６の下取付孔４９に合わせる。
【００２９】
この状態で、支持部材２４の一対の取付孔２９，２９、ケース本体４１の上取付孔（図示せず）および上支え片３３の一対の取付孔３５，３５にそれぞれ一対の上取付ボルト６１，６１を差し込み、上支え片３３から突出した一対の上取付ボルト６１，６１のねじ部に上ナット６２、６２をねじ結合する。
【００３０】
同様に、ケース本体４１の下取付孔４９および下支え片３４の取付孔３６にそれぞれ下取付ボルト６３を差し込み、下支え片３４から突出した下取付ボルト６３のねじ部に下ナット６４をねじ結合する。
これにより、オーガミッションケース２３に砕雪ブレード３０を取り付ける。
この際、砕雪ブレード３０の基部３７を受け溝５０内に嵌め込んだ状態になる。
【００３１】
図３は本発明に係る除雪機（第１実施形態）に砕雪ブレードを組み付けた状態を示す斜視図である。
砕雪ブレード３０の上支え片３３を一対の上取付ボルト６１，６１で支持部材２４とともにケース本体４１の上部突起４６に取り付け、砕雪ブレード３０の下支え片３４を下取付ボルト６３でケース本体４１の下突片６６に取り付け、砕雪ブレード３０の基部３７を受け溝５０に嵌め込む。
【００３２】
これにより、砕雪ブレード３０を、オーガミッションケース２３の前部（すなわち、蓋体４２の前面）２３ａに、左右のオーガ２８，２８（図１参照）間の雪を破砕する砕雪ブレード３０を鉛直に設ける。
砕雪ブレード３０は、前端３１ｃに沿って湾曲状の刃先３２を備え、この刃先３２を、刃部３１の上端部３１ａから下端部３１ｂにいくに従って前方に向けて徐々に大きく張り出させたものである。
【００３３】
この砕雪ブレード３０は、刃部３１をオーガミッションケース２３の前部（すなわち、蓋体４２の前面）２３ａに配置し、この刃部３１を蓋体４２の上端４２ａから下端４２ｂまで延ばし、刃部３１の上端部３１ａから上支え片３３をオーガミッションケース２３の上部に沿って後方に延ばし、刃部３１の下端部３１ｂから下支え片３４をオーガミッションケース２３の下部に沿って後方に延ばしたものである。
【００３４】
よって、オーガミッションケース２３の上部、前部および下部に渡って砕雪ブレード３０を覆うことができるので、オーガミッションケース２３の周囲の雪塊を効率よく砕いて、雪塊がオーガミッションケース２３に付着することを防ぐことができる。
【００３５】
図４（ａ）は本発明に係る除雪機（第１実施形態）の砕雪ブレードを示す側面図、図４（ｂ）は（ａ）の４ｂ−４ｂ線断面図である。
オーガミッションケース２３の前部（具体的には、蓋体４２の前面）２３ａに、蓋体４２の上端４２ａから下端４２ｂに渡って凹状の受け溝５０（図２、図３も参照）を設け、この受け溝５０内に砕雪ブレード３０の基部３７を嵌め込み、この基部３７の後端３７ａを受け溝５０の底部５４に当接させる。
【００３６】
受け溝５０を構成する規制片５３，５３を一定間隔Ｓ１をおいて互いに平行に配置し、一定間隔Ｓ１を砕雪ブレード３０の板厚Ｔより僅かに広く設定した。これにより、一対の規制片５３，５３間に砕雪ブレード３０を嵌め込む。
この際に、砕雪ブレード３０の基部３７の後端３７ａを、受け溝５０の底部５４に当接させる。
【００３７】
受け溝５０内に砕雪ブレード３０の基部３７を嵌め込むことにより、一対の規制片５３で基部３７が左右方向に振れることを防ぐ。
加えて、基部３７の後端３７ａを受け溝５０の底部５４に当接させることにより、砕雪ブレード３０に比較的大きな力がかかった場合に、砕雪ブレード３０にかかった力を受け溝５０で受けることが可能になり、砕雪ブレード３０を好適に保護する。
【００３８】
これにより、オーガミッションケース２３の前部（具体的には、蓋体４２の前面）２３ａに、左右のオーガ２８，２８（図１参照）間の雪塊を破砕する砕雪ブレード３０を強固に支えることができる。
したがって、砕雪ブレード３０を雪塊に食い込ませる際に、砕雪ブレード３０を受け溝５０で支えて、砕雪ブレード３０を雪塊に確実に食い込ませることができる。
【００３９】
なお、砕雪ブレード３０は、刃先３２を、左右のオーガ２８，２８の外周２８ａ，２８ａの内側に配置するように構成したものである。
【００４０】
次に、第１実施形態の除雪機１０の作用を図５（ａ），（ｂ）に基づいて説明する。
図５（ａ），（ｂ）は本発明に係る除雪機（第１実施形態）の作用を説明する図である。
（ａ）において、エンジン（図示せず）で駆動軸２６を回転することにより、オーガミッション２５で左右のオーガ軸２７，２７（右側のオーガ軸２７は（ｂ）に示す）を回転する。左右のオーガ軸２７，２７が回転することにより、左右のオーガ２８，２８を矢印▲１▼の如く回転する。
同時に、左右の走行部１３，１３（図１に左側の走行部１３のみ示す）を駆動することにより、機体１１（図１参照）とともにオーガ装置２０を矢印▲２▼の如く前進させる。
【００４１】
これにより、左右のオーガ２８，２８で雪塊（雪）６８を切削するとともに、砕雪ブレード３０を、左右のオーガ２８，２８間に残った雪塊（左右のオーガ２８，２８間の雪）６８ａ内に食い込ませる。
この砕雪ブレード３０は、刃先３２を、刃部３１の上端部３１ａから下端部３１ｂにいくに従って前方に向けて徐々に大きく張り出している。
よって、刃部３１の下端部３１ｂを前方に大きく突出させることができるので、左右のオーガ２８，２８で雪塊６８を切削する際に、刃部３１の下端部３１ｂを、左右のオーガ２８，２８間に残った雪塊６８ａに食い込ませることができる。
【００４２】
刃部３１の下端部３１ｂを、左右のオーガ２８，２８間に残った雪塊６８ａに食い込ませることで、左右のオーガ２８，２８で雪塊６８を切削する際に、発生した反力で左右のオーガ２８，２８が浮き上がることを防ぐことができる。
これにより、左右のオーガ２８，２８で雪塊６８を好適に切削することができる。
【００４３】
さらに、砕雪ブレード３０の基部３７を受け溝５０内に嵌め込むことにより、一対の規制片５３（奥側は図示せず）で基部３７が左右方向に振れることを防ぐ。
加えて、基部３７の後端３７ａを受け溝５０の底部５４に当接させることで、砕雪ブレード３０に比較的大きな力がかかった場合に、砕雪ブレード３０にかかった力を受け溝５０で受ける。
【００４４】
これにより、砕雪ブレード３０を、左右のオーガ２８，２８間に残った雪塊６８ａに食い込ませる際に、砕雪ブレード３０を受け溝５０で支えて、砕雪ブレード３０を、左右のオーガ２８，２８間に残った雪塊６８ａに確実に食い込ませることができる。
【００４５】
（ｂ）において、オーガミッションケース２３の前部（蓋体４２の前面）２３ａに砕雪ブレード３０を鉛直に配置し（（ａ）も参照）、砕雪ブレード３０の前端３１ｃに刃先３２を備えた。
よって、左右のオーガ２８，２８で雪塊６８を切削する際に、左右のオーガ２８，２８間に残った雪塊（左右のオーガ２８，２８間の雪）６８ａを砕雪ブレード３０で切断する。
切断した雪塊６８ａを左右のオーガ２８，２８側に矢印▲３▼の如く分散させて、分散した雪塊６８ａを左右のオーガ２８，２８で除去することができる。
【００４６】
これにより、左右のオーガ２８，２８間の雪塊６８ａを効率よく切削することができ、除雪性を高めることができる。
加えて、左右のオーガ２８，２８間の雪塊６８を除去することで、左右のオーガ２８，２８をスムーズに前進させることができるので、除雪性をより一層高めることができる。
【００４７】
次に、第２実施形態〜第３実施形態を図６〜図１０に基づいて説明する。なお、第２実施形態〜第３実施形態において、第１実施形態と同一部材については同一符合を付して説明を省略する。
第２実施形態
図６は本発明に係る除雪機（第２実施形態）の砕雪ブレードを示す側面図である。
除雪機７０は、オーガ装置７１に砕雪ブレード７２を備える。この除雪機７０は、図１〜図５に示す砕雪ブレード３０に代えて砕雪ブレード７２を備えた点で第１実施形態と異なるだけで、その他の構成は第１実施形態の除雪機１０と同じである。
【００４８】
砕雪ブレード７２は、砕雪ブレード３０の刃先３２に凹凸状の鋸刃７３・・・（・・・は複数を示す）を備えたもので、その他の構成は砕雪ブレード３０と同じである。
よって、砕雪ブレード７２は、刃先３２を、刃部３１の上端部３１ａから下端部３１ｂにいくに従って前方に向けて徐々に大きく張り出したものである。
鋸刃７３は、上刃７４の傾斜角を、下刃７５の傾斜角と同じに形成することで先端７３ａを先細状に形成したものである。
【００４９】
なお、砕雪ブレード７２は、刃先３２および鋸刃７３・・・を、左右のオーガ２８，２８の外周２８ａ，２８ａの内側に配置するように構成したものである。
【００５０】
次に、第２実施形態の除雪機７０の作用を図７に基づいて説明する。
図７は本発明に係る除雪機（第２実施形態）の作用を説明する図である。
左右のオーガ２８，２８を矢印▲１▼の如く回転するとともに、オーガ装置７１を矢印▲２▼の如く前進させる。
これにより、左右のオーガ２８，２８で雪塊６８を切削するとともに、砕雪ブレード７２を雪塊６８内に食い込ませる。
【００５１】
この砕雪ブレード７２は、刃先３２を、刃部３１の上端部３１ａから下端部３１ｂにいくに従って前方に向けて徐々に大きく張り出している。
さらに、砕雪ブレード７２の刃先３２に凹凸状の鋸刃７３・・・を備えている。これにより、左右のオーガ２８，２８で雪塊６８を切削する際に、鋸刃７３・・・の先端７３ａ・・・を雪塊６８に差し込むことで、刃先３２を構成する刃部３１の下端部３１ｂを雪塊６８に効率よく食い込ませことができる。
【００５２】
刃部３１の下端部３１ｂを雪塊６８に効率よく食い込ませることで、左右のオーガ２８，２８で雪塊６８を切削する際に、発生した反力で左右のオーガ２８，２８が浮き上がることを確実に防ぐことができる。
これにより、左右のオーガ２８，２８で雪塊６８を一層好適に切削することができる。
【００５３】
さらに、砕雪ブレード７２の刃先３２に凹凸状の鋸刃７３・・・を備え、鋸刃７３・・・の先端７３ａ・・・を雪塊に差し込むことで、刃先３２を雪塊６８に効率よく食い込ませ、雪塊６８を効果的に破砕することができる。
雪塊６８を破砕して細かくすることで、左右のオーガ２８，２８間に残った雪塊６８ａ（図５（ｂ）参照）を切刃３２で一層効果的に破砕し、破砕した雪塊６８ａを左右のオーガ２８，２８側に分散して左右のオーガ２８，２８で除去することができる。
これにより、左右のオーガ２８，２８間の雪塊６８ａをより一層効率よく切削して、除雪性をさらに高めることができる。
【００５４】
第３実施形態
図８は本発明に係る除雪機（第３実施形態）の砕雪ブレードを示す分解斜視図である。
除雪機８０は、図１〜図５に示すオーガミッションケース２３に代えてオーガミッションケース８１を備えた点で第１実施形態と異なるだけで、その他の構成は第１実施形態の除雪機１０と同じである。
【００５５】
オーガミッションケース８１は、ケース本体４１と蓋体８２とからなる。
蓋体８２は、図１〜図４に示す蓋体４２の前面（オーガミッションケース２３の前部）２３ａから受け溝５０（図２〜図４参照）を除去したもので、その他の構成は蓋体４２と同じである。
【００５６】
オーガミッションケース８１に砕雪ブレード３０を取り付ける際には、上支え片３３の一対の取付孔３５，３５を、ケース本体４１の上部突起４６の上取付孔（図示せず）に合わせるとともに、ケース本体４１の上取付孔（図示せず）に支持部材２４の一対の取付孔２９，２９を合わせる。
さらに、下支え片３４の取付孔３６を、ケース本体４１から下方に突出した下突片６６の下取付孔４９に合わせる。
【００５７】
この状態で、支持部材２４の一対の取付孔２９，２９、ケース本体４１の上取付孔（図示せず）および上支え片３３の一対の取付孔３５，３５にそれぞれ一対の上取付ボルト６１，６１を差し込み、上支え片３３から突出した一対の上取付ボルト６１，６１のねじ部に上ナット６２、６２をねじ結合する。
【００５８】
同様に、ケース本体４１の下取付孔４９および下支え片３４の取付孔３６にそれぞれ下取付ボルト６３を差し込み、下支え片３４から突出した下取付ボルト６３のねじ部に下ナット６４をねじ結合する。
これにより、オーガミッションケース２３に砕雪ブレード３０を取り付ける。
【００５９】
図９は本発明に係る除雪機（第３実施形態）の砕雪ブレードを示す斜視図である。
砕雪ブレード３０の上支え片３３を一対の上取付ボルト６１，６１で支持部材２４とともにケース本体４１の上部突起４６に取り付け、砕雪ブレード３０の下支え片３４を下取付ボルト６３でケース本体４１の下突片６６に取り付ける。
これにより、砕雪ブレード３０を、オーガミッションケース８１の前部（すなわち、蓋体８２の前面）２３ａに、左右のオーガ２８，２８（図１参照）間の雪を破砕する砕雪ブレード３０を鉛直に設ける。
【００６０】
図１０は本発明に係る除雪機（第３実施形態）の砕雪ブレードを示す側面図である。
砕雪ブレード３０の上支え片３３を一対の上取付ボルト６１，６１でケース本体４１の上部突起４６に取り付けるとともに、砕雪ブレード３０の下支え片３４を下取付ボルト６３でケース本体４１の下突片６６に取り付けることで、砕雪ブレード３０を、砕雪ブレード３０の後端３７ａを蓋体８２の前面２３ａから一定間隔Ｓ２だけ離した状態に取り付ける。
【００６１】
第３実施形態の除雪機８０によれば、砕雪ブレード３０の後端３７ａを蓋体８２の前面２３ａから一定間隔Ｓ２だけ隙間を形成することで、砕雪ブレード３０や蓋体８２の前面２３ａに雪塊が固着することを防止することができる。
これにより、砕雪ブレード３０や蓋体８２の前面２３ａに雪塊が固着して、雪塊に食い込み難くなることを防止することができる。
【００６２】
さらに、第３実施形態の除雪機８０によれば、図１〜図５に示す第１実施形態の除雪機１０と比較して、蓋体８２に受け溝５０を設ける必要がないので、蓋体８２の簡素化を図ることができる。
加えて、第３実施形態の除雪機８０によれば、第１実施形態と同様の効果を得ることができる。
【００６３】
なお、前記実施形態では、砕雪ブレード３０の刃先３２や砕雪ブレード７２の鋸刃７３を、左右のオーガ２８，２８の外周２８ａ，２８ａの内側に配置した例について説明したが、刃先３２や鋸刃７３を左右のオーガ２８，２８の外周の外側まで張り出すことも可能である。
【００６４】
さらに、前記実施形態では、砕雪ブレード３０の刃先３２を湾曲状に形成した例について説明したが、刃先３２の形状はこれに限定するものではなく、例えば、刃先３２を直線状に形成しても同様の効果を得ることができる。
【００６５】
また、前記第２実施形態では、鋸刃７３の形状を、上刃７４の傾斜角と下刃７５の傾斜角とを同じに形成した例について説明したが、これに限らないで、その他の鋸刃７３の形状として、例えば下刃７５を水平に形成し、上刃７４のみを傾斜させることも可能であり、上刃７４を水平に形成し、下刃７５のみを傾斜させることも可能である。
【００６６】
さらに、前記実施形態では、受け溝５０を、蓋体４２の中央のプラグ４８を回避するために、上部の受け溝５１と下部の受け溝５２とに２分割した例について説明したが、これに限らないで、プラグ４８を蓋体４２の中央から別の部位に移動して、受け溝５０を蓋体４２の上端４２ａから下端４２ｂまで一体に形成しても同様の効果を得ることができる。
【００６７】
【発明の効果】
本発明は上記構成により次の効果を発揮する。
請求項１は、オーガミッションケースの前部に、左右のオーガ間の雪を破砕する砕雪ブレードを鉛直に配置し、砕雪ブレードの前端に刃先を備えた。
よって、左右のオーガで雪塊を切削する際に、左右のオーガ間に残った雪塊を切刃で切断する。切断した雪塊を左右のオーガ側に分散させて、分散した雪を左右のオーガで除去することができる。
【００６８】
これにより、左右のオーガ間の雪塊を効率よく切削することができ、除雪性を高めることができる。
加えて、左右のオーガ間の雪塊を除去することで、左右のオーガをスムーズに前進させることができるので、除雪性をより一層高めることができる。
したがって、作業者に負担をかけないで簡単に除雪作業をおこなうことができる。
【００６９】
また、砕雪ブレードの刃先を上端部から下端部にいくに従って前方に向けて徐々に大きく張り出した。
よって、刃先の下端部を前方に大きく突出させることができるので、左右のオーガで雪塊を切削する際に、刃先の下端部を雪塊に食い込ませることができる。
【００７０】
刃先の下端部を雪塊に食い込ませることで、左右のオーガで雪塊を切削する際に、発生した反力で左右のオーガが浮き上がることを防ぐことができる。
これにより、左右のオーガで雪塊を好適に切削することが可能になり、除雪性の向上を図ることができる。
したがって、作業者に負担をかけないで簡単に除雪作業をおこなうことができる。
【００７１】
さらに、オーガミッションケースの前部に受け溝を設け、受け溝内に砕雪ブレードの基部を嵌め込むことにより、受け溝で砕雪ブレードの基部が左右方向に振れることを防ぐことができる。
加えて、砕雪ブレードの基部の後端を受け溝の底部に当接させることにより、砕雪ブレードに比較的大きな力がかかった場合に、砕雪ブレードにかかった力を受け溝で受けることが可能になり、砕雪ブレードを好適に保護して、耐久性を高めることができる。
これにより、砕雪ブレードを雪塊に食い込ませる際に、砕雪ブレードを受け溝で支えて、砕雪ブレードを雪に確実に食い込ませることができる。
【図面の簡単な説明】
【図１】本発明に係る除雪機（第１実施形態）を示す斜視図
【図２】本発明に係る除雪機（第１実施形態）の砕雪ブレードを示す分解斜視図
【図３】発明に係る除雪機（第１実施形態）に砕雪ブレードを組み付けた状態を示す斜視図
【図４】（ａ）は本発明に係る除雪機（第１実施形態）の砕雪ブレードを示す側面図、（ｂ）は（ａ）の４ｂ−４ｂ線断面図
【図５】本発明に係る除雪機（第１実施形態）の作用を説明する図
【図６】本発明に係る除雪機（第２実施形態）の砕雪ブレードを示す側面図
【図７】本発明に係る除雪機（第２実施形態）の作用を説明する図
【図８】本発明に係る除雪機（第３実施形態）の砕雪ブレードを示す分解斜視図
【図９】本発明に係る除雪機（第３実施形態）の砕雪ブレードを示す斜視図
【図１０】本発明に係る除雪機（第３実施形態）の砕雪ブレードを示す側面図
【図１１】（ａ）は従来の除雪機を示す正面図、（ｂ）は従来の除雪機の要部を示す側面図、（ｃ）は（ｂ）の１１ｃ−１１ｃ線断面図
【符号の説明】
１０…除雪機、１１…機体、２３…オーガミッションケース、２３ａ…オーガミッションケースの前部（蓋体の前面）、２５…オーガミッション、２８…左右のオーガ、３０，７２…砕雪ブレード、３１…刃部、３１ａ…上端部、３１ｂ…下端部、３１ｃ…刃部の前端（砕雪ブレードの前端）、３２…刃先、３７…ブレードの基部、３７ａ…基部の後端、４２ａ…上端、４２ｂ…下端、５０…受け溝、５４…受け溝の底部、６８…雪塊（雪）、６８ａ…左右のオーガ間に残った雪塊（左右のオーガ間の雪）。
【図１】
2004360366.tif 000003
【図２】
2004360366.tif 000004
【図３】
2004360366.tif 000005
【図４】
2004360366.tif 000006
【図５】
2004360366.tif 000007
【図６】
2004360366.tif 000008
【図７】
2004360366.tif 000009
【図８】
2004360366.tif 000010
【図９】
2004360366.tif 000011
【図１０】
2004360366.tif 000012
【図１１】
2004360366.tif 000013